(57)【要約】【課題】複数の読取対象が接触して読み取られた場合でも、読取画像から読取対象ごとに画像を切り出すことが可能な画像処理装置及びプログラムを提供する。【解決手段】画像処理装置２は、読取画像から複数の読取対象が矩形の領域に含まれるように切り出された画像を取得し、前記読取対象の面積に対する前記画像の面積の比率が予め定められた比率以上のとき、前記読取対象間の接触する接触部の長さに応じて前記画像を前記接触部で分割する分割手段２０２を備える。【選択図】図２
2018152629.tif 000002
【特許請求の範囲】
【請求項１】
読取画像から複数の読取対象が矩形の領域に含まれるように切り出された画像を取得し、前記読取対象の面積に対する前記画像の面積の比率が予め定められた比率以上のとき、前記読取対象間の接触する接触部の長さに応じて前記画像を前記接触部で分割する分割手段を備えた画像処理装置。
【請求項２】
前記分割手段は、取得した前記画像に含まれる前記読取対象の頂点のうちの２つの頂点間の距離が予め定められた距離以下のとき、前記２つの頂点間の直線を前記接触部とみなし、前記画像を前記直線で分割する、
請求項１に記載の画像処理装置。
【請求項３】
前記分割手段は、前記画像を前記直線で分割したとした場合、前記読取対象の面積に対する分割後の前記矩形のそれぞれの領域の面積の比率が予め定められた比率以上のとき、前記画像を前記直線で分割する、
請求項２に記載の画像処理装置。
【請求項４】
前記分割手段は、取得した前記画像に含まれる前記読取対象の頂点のうち１つの頂点で前記読取対象の辺を示す４本の線が交わるとき、前記１つの頂点を前記接触部とみなし、前記画像を前記１つの頂点を通る直線で分割する、
請求項１に記載の画像処理装置。
【請求項５】
前記分割手段は、前記直線が前記読取対象の辺と交差しないように分割する、
請求項４に記載の画像処理装置。
【請求項６】
前記分割手段は、前記画像を前記接触部で分割したとした場合、前記読取対象の面積に対する分割後の前記矩形のそれぞれの領域の面積の比率が予め定められた比率以上のとき、前記画像を前記接触部で分割する、
請求項１に記載の画像処理装置。
【請求項７】
コンピュータを、
読取画像から複数の読取対象が矩形の領域に含まれるように切り出された画像を取得し、前記読取対象の面積に対する前記画像の面積の比率が予め定められた比率以上のとき、前記読取対象間の接触する接触部の長さに応じて前記画像を前記接触部で分割する分割手段として、機能させるためのプログラム。
【発明の詳細な説明】
【技術分野】
【０００１】
本発明は、画像処理装置及びプログラムに関する。
【背景技術】
【０００２】
近年、名刺やカード等の小紙片を読み取り画像化する画像処理装置が提案されている（例えば、特許文献１参照。）。
【０００３】
特許文献１に記載された画像処理装置は、画像取得部が取得した画像中の図形の輪郭線を輪郭抽出処理部で抽出し、頂点抽出処理部が、輪郭抽出処理部で抽出された輪郭線を構成する最長の直線を長辺とし、該輪郭線の全てを領域内に含む矩形領域の各頂点の座標を抽出し、画像切出処理部が、頂点抽出処理部で抽出された座標に基づいて画像取得部が取得した画像から矩形画像を切り出し、切り出された矩形画像を直立補正処理部が直立するように補正し、天地判定処理部が直立させた矩形画像の天地を判定して正方向に回転させる。
【先行技術文献】
【特許文献】
【０００４】
【特許文献１】特開２０１３−０２６８３９号公報
【発明の概要】
【発明が解決しようとする課題】
【０００５】
本発明の課題の一つは、複数の読取対象が接触して読み取られた場合でも、読取画像から読取対象ごとに画像を切り出すことが可能な画像処理装置及びプログラムを提供することにある。
【課題を解決するための手段】
【０００６】
［１］読取画像から複数の読取対象が矩形の領域に含まれるように切り出された画像を取得し、前記読取対象の面積に対する前記画像の面積の比率が予め定められた比率以上のとき、前記読取対象間の接触する接触部の長さに応じて前記画像を前記接触部で分割する分割手段を備えた画像処理装置。
［２］前記分割手段は、取得した前記画像に含まれる前記読取対象の頂点のうちの２つの頂点間の距離が予め定められた距離以下のとき、前記２つの頂点間の直線を前記接触部とみなし、前記画像を前記直線で分割する、前記［１］に記載の画像処理装置。
［３］前記分割手段は、前記画像を前記直線で分割したとした場合、前記読取対象の面積に対する分割後の前記矩形のそれぞれの領域の面積の比率が予め定められた比率以上のとき、前記画像を前記直線で分割する、前記［２］に記載の画像処理装置。
［４］前記分割手段は、取得した前記画像に含まれる前記読取対象の頂点のうち１つの頂点で前記読取対象の辺を示す４本の線が交わるとき、前記１つの頂点を前記接触部とみなし、前記画像を前記１つの頂点を通る直線で分割する、前記［１］に記載の画像処理装置。
［５］前記分割手段は、前記直線が前記読取対象の辺と交差しないように分割する、前記［４］に記載の画像処理装置。
［６］前記分割手段は、前記画像を前記接触部で分割したとした場合、前記読取対象の面積に対する分割後の前記矩形のそれぞれの領域の面積の比率が予め定められた比率以上のとき、前記画像を前記接触部で分割する、前記［１］に記載の画像処理装置。
［７］コンピュータを、読取画像から複数の読取対象が矩形の領域に含まれるように切り出された画像を取得し、前記読取対象の面積に対する前記画像の面積の比率が予め定められた比率以上のとき、前記読取対象間の接触する接触部の長さに応じて前記画像を前記接触部で分割する分割手段として、機能させるためのプログラム。
【発明の効果】
【０００７】
請求項１、４、６、７に係る発明によれば、複数の読取対象が接触して読み取られた場合でも、読取画像から読取対象ごとに画像を切り出すことが可能になる。
請求項２、３に係る発明によれば、読取対象が互いに大きく重なり合うように接触している場合に、読取対象の再現性が悪くなるような画像の分割を除くことが可能になる。
請求項５に係る発明によれば、欠けが生じないように読取対象を切り出すことが可能になる。
【図面の簡単な説明】
【０００８】
【図１】図１は、本発明の実施の形態に係る画像処理システムの構成例を示す図である。
【図２】図２は、本実施の形態に係る画像処理装置の制御系の一例を示すブロック図である。
【図３】図３は、読取画像の一例を示す図である。
【図４】図４（ａ）〜（ｄ）は、接触している２つの読取画像に対して抽出される矩形画像の一例を示す図である。
【図５】図５（ａ）〜（ｃ）は、互いに接触している２つの読取対象を分割して切り出す処理の一例を示す図である。
【図６】図６（ａ）〜（ｃ）は、分割して切り出された読取対象の一例を示す図である。
【図７】図７は、接触している３つの読取対象を分割して切り出す処理の一例を示す図である。
【図８】図８は、本実施の形態に係る画像処理システムの動作の一例を示すフローチャートである。
【図９】図９は、図８のステップＳ５の矩形画像に対する処理の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る画像処理装置は、読取画像から複数の読取対象が矩形の領域に含まれるように切り出された画像を取得し、読取対象の面積に対する画像の面積の比率が予め定められた比率以上のとき、読取対象間の接触する接触部の長さに応じて画像を接触部で分割する分割手段を備える。
【００１１】
画像処理装置は、画像を読み取る読取機能を有するものであれば、例えば、スキャナや、多機能携帯電話機（スマートフォン）等でもよい。
【００１２】
読取対象には、名刺、パスポート、運転免許証、社員証、ＩＤカード等の個人認証媒体や、クレジットカード、キャッシュカード、プリペイドカード等の取引媒体が含まれる。読取対象は、主に長方形を有しているものであるが、正方形を有しているものでもよい。また、読取対象には、４つの角が丸く形成されているものも含まれる。
【００１３】
「矩形の領域」とは、読取対象に外接する矩形状の領域をいう。複数の読取対象が接触して読み取られた場合は、矩形の領域とは、これら接触する複数の読取対象を全て含んで読取対象に外接する矩形状の領域をいう。なお、複数の読取対象が接触して読み取られる例には、例えば、２つの読取対象が各々の頂点で接している例、すなわち、２つの読取対象が互いに１点のみで接触する例も含まれる。
【００１４】
「接触部」とは、２つ以上の読取対象が互いに接触する領域をいう。なお、２つの読取対象が各々の頂点で接している場合、接触部とは、これらの頂点間の領域をいう。また、１つの頂点で接している場合は、接触部は、１つの頂点をいう。
【００１５】
［実施の形態］
図１は、本発明の実施の形態に係る画像処理システムの構成例を示す図である。この画像処理システム１は、読取画像から読取対象１００ごとに画像を切り出す画像処理装置２と、この画像処理装置２と通信する端末装置３とを有して構成されている。
【００１６】
画像処理装置２は、情報の入力及び表示を行う操作表示部２２と、読取対象１００を読み取る画像読取部２３（図２参照）とを備えている。画像読取部２３は、例えば、読取対象１００の一例として複数の名刺が配置される原稿台２３０を有する。この原稿台２３０は、例えばプラテンガラス等で構成された平坦状の形状を有する。
【００１７】
端末装置３は、例えば、パーソナルコンピュータ、タブレット型端末、多機能携帯電話機（スマートフォン）等を用いることができる。図１に示す例では、端末装置３はスマートフォンであり、操作者４に保持されている。
【００１８】
（画像処理装置の構成）
図２は、画像処理装置２の制御系の一例を示すブロック図である。この画像処理装置２は、画像処理装置２の各部を制御する制御部２０と、各種のデータを記憶する記憶部２１と、上述の操作表示部２２と、上述の画像読取部２３と、端末装置３と通信する無線通信部２４と、ネットワーク６を介して外部装置７と通信するネットワーク通信部２５とを備える。
【００１９】
制御部２０は、ＣＰＵ（Central Processing Unit）、インターフェース等から構成されている。ＣＰＵは、プログラム格納部２１０に格納されたプログラムに従って動作することにより、受付手段２００、矩形画像切出手段２０１、分割手段２０２、後処理手段２０３、出力手段２０４等として機能する。各手段２００〜２０４の詳細については後述する。
【００２０】
記憶部２１は、ＲＯＭ（Read Only Memory）、ＲＡＭ（Random Access Memory）、ハードディスク等から構成され、プログラムを格納するプログラム格納部２１０、画像データを格納する画像格納部２１１等を有する。
【００２１】
画像読取部２３は、原稿台２３０に配置された読取対象１００を光学的に読み取り、読み取った読取画像を受付手段２００に渡す。
【００２２】
無線通信部２４は、Ｗｉ−ＦｉやＢｌｕｅＴｏｏｔｈ（登録商標）等を用いて、端末装置３との間で信号を送受信する。なお、端末装置３は、有線によりネットワーク６に接続されてもよい。
【００２３】
ネットワーク通信部２５は、ネットワーク６を介して、外部装置７との間で信号を送受信する。外部装置７には、例えば、パーソナルコンピュータ、サーバ装置等が含まれる。
【００２４】
ネットワーク６は、例えば、ローカルエリアネットワーク（ＬＡＮ）、インターネット等であり、有線でも無線でもよい。
【００２５】
受付手段２００は、画像読取部２３が読み取った読取画像を受け付ける。
【００２６】
また、矩形画像切出手段２０１は、受付手段２００が受け付けた読取画像から読取対象のエッジを検出して、読取対象の輪郭線を抽出する処理（以下、「エッジ強調処理」ともいう。）を行う。また、矩形画像切出手段２０１は、抽出した読取画像の輪郭線に基づいて、読取対象に番号を採番するラベリング処理を行う。
【００２７】
また、矩形画像切出手段２０１は、読取対象に外接する矩形（以下、「外接矩形」ともいう。）で囲まれた領域の画像（以下、「矩形画像」ともいう。）を抽出する。矩形画像は、読取画像から読取対象が矩形の領域に含まれるように切り出された画像の一例である。
【００２８】
分割手段２０２は、矩形画像切出手段２０１により抽出された矩形画像を取得し、矩形画像の面積を算出する。分割手段２０２は、読取対象の面積に対する矩形画像の面積の比率を算出するとともに、この比率が予め定められた比率以上かどうかを判定する。分割手段２０２は、この比率が予め定められた比率以上のとき、矩形画像を分割する。読取対象の面積は、操作者４により与えられる。なお、矩形画像切出手段２０１がいずれの読取対象とも接触していない矩形画像を切り出せた場合、その矩形画像から面積を算出してもよい。
【００２９】
また、分割手段２０２は、矩形画像に含まれる読取対象の頂点を検出する。頂点の検出には、例えば、ベクトル解析を用いてもよい。分割手段２０２は、検出した頂点のうち２つの頂点間の距離を算出する。分割手段２０２は、複数の読取対象が接触する接触部の長さに応じて、矩形画像を分割する。具体的には、分割手段２０２は、２つの頂点間の距離が予め定められた距離以下のとき、この２つの頂点を通る直線を接触部とみなし、矩形画像をこの直線で分割する。
【００３０】
また、分割手段２０２は、矩形画像を分割する直線を決定する。分割手段２０２は、決定した直線で矩形画像を分割して、それぞれの読取対象を切り出す切り出し処理を行う。分割手段２０２は、決定した直線で分割された矩形画像の部分領域の面積を算出する。部分領域は、分割後の矩形のそれぞれの領域の一例である。  
【００３１】
分割手段２０２は、矩形画像を上述の直線で分割したとした場合、読取対象の面積に対する分割後の矩形画像の部分領域の面積の比率を算出する。分割手段２０２は、この比率が予め定められた比率以上のとき、矩形画像を上述の直線で分割する。
【００３２】
分割手段２０２は、検出した頂点のうちの１つの頂点で読取対象の辺を示す４本の線が交わるかどうか判断する。分割手段２０２は、当該１つの頂点で読取対象の辺を示す４本の線が交わる判断した場合、当該１つの頂点を複数の読取対象が接触する接触部とみなし、当該１つの頂点を通る直線で矩形画像を分割する。このとき、分割手段２０２は、この直線が読取対象のいずれの辺とも交差しないように分割する。
【００３３】
後処理手段２０３は、分割手段２０２により切り出された読取対象の傾き（以下、「スキュー」ともいう。）を補正する補正処理を行う。補正処理には、例えば、読取対象を回転させる回転処理や、読取対象を傾斜させる傾斜処理等が含まれる。
【００３４】
出力手段２０４は、後処理手段２０３により後処理が施された読取画像を端末装置３に出力する。端末装置３は、後処理が施された読取対象を操作者４に通知する。また、出力手段２０４は、後処理が施された読取画像をサーバ装置等の外部装置７に出力する。また、出力手段２０４は、後処理が施された読取画像を画像格納部２１１に格納する。  
【００３５】
（実施の形態の動作）
次に、画像処理システム１の動作の一例について図３〜図９を参照して説明する。
【００３６】
（１）読取対象の読み取り
操作者４は、複数の読取対象１００を画像処理装置２の原稿台２３０に並べて配置し、例えば、操作表示部２２のスタートボタンの押下等のスキャン開始を指示する操作を行う。
【００３７】
操作者４がスキャン開始を指示する操作を行うと、画像読取部２３は原稿台２３０に並べられた複数の読取対象１００を読み取り、読取画像１０を受付手段２００に渡す。
【００３８】
受付手段２００は、画像読取部２３から渡された読取画像１０を受け付ける（Ｓ１）。図３は、読取画像１０の一例を示す図である。図３に示すように、読取画像１０には、複数（例えば１６個）の読取対象１００が含まれている。
【００３９】
（２）矩形画像の抽出
次に、図３、図４、図８を参照して矩形画像の抽出について説明する。矩形画像切出手段２０１は、読取画像１０にエッジ強調処理を行う（Ｓ２）。矩形画像切出手段２０１は、エッジ強調処理により、図３に示すように、読取画像１０から読取対象１００の輪郭１５０を抽出する。
【００４０】
次に、矩形画像切出手段２０１は、図３に示すように、抽出した読取対象１００の輪郭１５０に基づいて、読取対象１００に番号を採番するラベリング処理を行う（Ｓ３）。複数の読取対象１００が接触して読み取られた場合は、接触する複数の読取対象１００を１つの処理対象１１０として、１つの番号を採番する。図３中の数字は、採番された番号を示す。
【００４１】
次に、矩形画像切出手段２０１は、読取対象１００に外接する矩形画像１２０（図３の破線参照）を抽出する（Ｓ４）。複数の読取対象１００が接触して読み取られた場合は、接触する複数の読取対象１００を含む処理対象１１０に矩形が外接する矩形画像１２０を図４に示すように、抽出する（例えば、図３の番号２，６，７が付された処理対象１１０に外接する破線参照）。
【００４２】
（矩形画像の例）
図４は、接触している２つの読取画像に対して抽出される矩形画像の一例を示す図である。接触している２つの読取対象１００に対して抽出される矩形画像１２０の一例について説明する。図４（ａ）は、一方の読取対象１００Ａの角部が他方の読取対象１００Ｂの角部に接触している場合に抽出した矩形画像１２０の例を示す。矩形画像１２０は、２つの読取対象１００Ａ，１００Ｂを含み、矩形が処理対象１１０に外接するように抽出される。この場合、読取対象１００Ａ，１００Ｂに共通する２つの頂点１０１ａ，１０１ｂが、読取対象１００Ａ，１００Ｂの互いに隣接する長辺１０６ｄ，１０６ｆ及び短辺１０６ａ，１０６ｅにそれぞれ存在する。
【００４３】
図４（ｂ）は、一方の読取対象１００Ａが他方の読取対象１００Ｂの１つの長辺１０６ｄに接触している場合に抽出した矩形画像１２０の例を示す。矩形画像１２０は、２つの読取対象１００Ａ，１００Ｂを含み、矩形が処理対象１１０に外接するように抽出される。この場合、読取対象１００Ａ，１００Ｂに共通する２つの頂点１０２ａ，１０２ｂは、他方の読取対象１００Ｂの１つの長辺１０６ｄ上に存在する。
【００４４】
図４（ｃ）は、一方の読取対象１００Ａの頂点１０３と他方の読取対象１００Ｂの頂点１０３とが接触している場合に抽出した矩形画像１２０の例を示す。矩形画像１２０は、２つの読取対象１００Ａ，１００Ｂを含み、矩形が処理対象１１０に外接するように抽出される。
【００４５】
図４（ｄ）は、一方の読取対象１００Ａに記載された記載情報が他方の読取対象１００Ｂにより被覆されるように互いに重なり合う状態で読み取られた場合の矩形画像１２０の例を示す。この場合の矩形画像１２０は、２つの読取対象１００Ａ，１００Ｂを含み、矩形が処理対象１１０に外接するように抽出される。
【００４６】
次に、分割手段２０２は、矩形画像切出手段２０１により抽出された矩形画像１２０を取得し、矩形画像１２０に対する処理を行う（Ｓ５）。
【００４７】
（３）矩形画像に対する処理
次に、矩形画像に対する処理について、図４、図５、図９を参照して説明する。図９は、図８のステップ５の矩形画像に対する処理の一例を示すフローチャートである。分割手段２０２は、取得した矩形画像１２０の面積を算出する（Ｓ５１）。次に、分割手段２０２は、読取対象１００の１つ分の面積に対する算出した矩形画像１２０の面積の比率が予め定められた比率（例えば、２倍）以上かどうかを判定する（Ｓ５２）。
【００４８】
読取対象１００の面積に対する算出した矩形画像１２０の面積の比率が予め定められた比率以上のとき（Ｓ５２：Ｙｅｓ）、分割手段２０２は、矩形画像１２０に含まれる読取対象１００の頂点を検出する（Ｓ５３）。
【００４９】
図４（ａ），（ｂ）に示すような読取対象１００Ａ，１００Ｂに共通する頂点が２つ存在する場合、分割手段２０２は、図５（ａ）に示すように、８個の頂点１０１ａ〜１０１ｈを検出する。また、図４（ｃ）に示すような読取対象１００Ａ，１００Ｂに共通する頂点が１つ存在する場合、分割手段２０２は、図５（ｂ）に示すように、７個の頂点１０１ｃ〜１０１ｉを検出する。また、図４（ｄ）に示すような読取対象１００Ａ，１００Ｂが互いに重なり合う場合、分割手段２０２は、図５（ｃ）に示すように、１２個の頂点１０４ａ〜１０４ｌを検出する。
【００５０】
次に、分割手段２０２は、検出した頂点について、１つの頂点に対し、その他の頂点のうち当該１つの頂点にもっとも近い頂点を選択する（Ｓ５４）。そして、分割手段２０２は、これら２つの頂点間の距離を算出する（Ｓ５５）。
【００５１】
例えば、図５（ａ）を例に説明すると、当該１つの頂点を頂点１０１ａとしたとき、分割手段２０２は、この頂点１０１ａとそれ以外の頂点１０１ｂ〜１０１ｈとの距離をそれぞれ算出して互いに比較し、頂点１０１ａにもっとも近いものとして頂点１０１ｂを選択する。また、例えば、当該１つの頂点を頂点１０１ｆとしたとき、分割手段２０２は、この頂点１０１ｆとそれ以外の頂点１０１ａ〜１０１ｅ，１０１ｇ，１０１ｈとの距離をそれぞれ算出して互いに比較し、頂点１０１ｆにもっとも近いものとして頂点１０１ａを選択する。
【００５２】
次に、分割手段２０２は、算出した２つの頂点間の距離が予め定められた距離（例えば、読取対象１００の長手方向の辺の長さの２分の１）以下であるかどうかを判定する（Ｓ５６）。図５（ａ）に示す例では、２つの頂点１０１ａ，１０１ｂ間の距離は、予め定められた距離以下である。
【００５３】
算出した２つの頂点間の距離が予め定められた距離以下のとき（Ｓ５６：Ｙｅｓ）、分割手段２０２は、２つの頂点間を結んだ直線を境界として分割した矩形画像「１２０の部分領域の面積を算出し、この部分領域の面積が予め定められた面積（例えば、読取対象１００の面積）以上であるかどうかを判定する（Ｓ５７）。
【００５４】
例えば、図５（ａ）に示す例では、２つの頂点１０１ａ，１０１ｂ間を結んだ直線１４０を境界として分割した矩形画像１２０の部分領域１２０Ａ，１２０Ｂの面積はともに、予め定められた面積以上である。この２つの頂点１０１ａ，１０１ｂを結ぶ線分は、接触部の一例である。
【００５５】
一方で、例えば、図５（ｃ）に示す例では、２つの頂点１０４ｂ，１０４ｃ間を結んだ直線１４０を境界として分割した矩形画像１２０の部分領域１２０Ａの面積は、予め定められた面積未満である。なお、図５（ａ）及び図５（ｃ）では、直線１４０を与える頂点を白抜きで示し、他の頂点（黒丸）と区別する。
【００５６】
２つの頂点間を結んだ直線を境界として分割した矩形画像１２０の部分領域の面積が予め定められた面積以上のとき（Ｓ５７：Ｙｅｓ）、分割手段２０２は、分割された矩形画像１２０のうち大きい方の部分領域の面積を算出し、この部分領域の面積が予め定められた面積（例えば、読取対象１００の２倍の面積）以上であるかどうかを判定する（Ｓ５８）。
【００５７】
例えば、図５（ａ）に示す例では、分割された矩形画像１２０のうち大きい方の部分領域１２０Ａの面積は、予め定められた面積以上である。
【００５８】
分割された矩形画像１２０のうち大きい方の部分領域の面積が予め定められた面積以上のとき（Ｓ５８：Ｙｅｓ）、分割手段２０２は、矩形画像１２０を分割する直線を決定する（Ｓ５９）。例えば、図５（ａ）、（ｂ）に示す例では、分割手段２０２は、矩形画像１２０を分割する直線を図５（ａ）、（ｂ）に示す直線１４０に決定する。
【００５９】
また、算出した２つの頂点間の距離が予め定められた距離を超えているとき（Ｓ５６：Ｎｏ）、分割手段２０２は、上述した、当該１つの頂点が、４本の直線が集まる頂点であるかどうかを判定する（Ｓ６０）。
【００６０】
例えば、図５（ｂ）に示す例では、頂点１０１ｉが、読取対象１００Ａの１組の短辺１０６ｅ及び長辺１０６ｆ、並びに読取対象１００Ｂの１組の短辺１０６ａ及び長辺１０６ｄの４本の直線がともに集まる点である。
【００６１】
当該１つの頂点が４本の直線が集まる頂点であるとき（Ｓ６０：Ｙｅｓ）、分割手段２０２は、当該１つの頂点を通る直線を、矩形画像１２０を分割する直線１４０に決定する（Ｓ５９）。この場合、分割手段２０２は、図５（ｂ）に示すように、読取対象１００Ａの長辺１０６ｆ，１０６ｈ、短辺１０６ｅ，１０６ｇ、読取対象１００Ｂの長辺１０６ｂ，１０６ｄ、短辺１０６ａ，１０６ｃのいずれとも交差しないように直線１４０を決定する。
【００６２】
また、分割手段２０２は、当該１つの頂点を別の頂点に変更して、上述したステップＳ５４〜Ｓ６０の処理を行う。
【００６３】
なお、図５（ｄ）に示すような、２つの読取対象１００Ａ，１００Ｂが互いに重なるような例では、当該１つの頂点にいずれの頂点を選んだとしても、ステップＳ５６，Ｓ５７，Ｓ５８，Ｓ６０のいずれかの条件が満たされないため、矩形画像１２０を分割する直線は決定されない。この場合、矩形画像１２０は分割されず、読取対象１００Ａ，１００Ｂは切り出されない。
【００６４】
ステップＳ５２の「予め定められた比率」、ステップＳ５６の「予め定められた距離」、ステップＳ５７及びＳ５８の「予め定められた面積」は、例えば、読取対象１００に記載された内容をどの程度まで読み取れるかを示す読取率の目標値に応じて定めればよい。
【００６５】
（４）切り出し処理
次に、図８のステップＳ６において、分割手段２０２は、決定した直線１４０で矩形画像１２０を分割して、それぞれの読取対象１００を切り出す切り出し処理を行う（Ｓ６）。
【００６６】
図６は、分割して切り出された読取対象の一例を示す図である。例えば、図４（ａ）に示す例では、図６（ａ）に示すように、分割手段２０２は、矩形画像１２０を分割して２つの読取対象１００Ａ，１００Ｂを切り出す。また、例えば、図４（ｂ）に示す例では、図６（ｂ）に示すように、分割手段２０２は、矩形画像１２０を分割して２つの読取対象１００Ａ，１００Ｂを切り出す。また、例えば、図４（ｃ）に示す例では、図６（ｃ）に示すように、分割手段２０２は、矩形画像１２０を分割して２つの読取対象１００Ａ，１００Ｂを切り出す。
【００６７】
なお、読取対象１００は３つ以上接触していてもよい。図７は、接触している３つの読取対象を分割して切り出す処理の一例を示す図である。例えば、図７に示すように、３つの読取対象１００Ａ，１００Ｂ，１００Ｃが接触して１つの処理対象を形成している場合、分割手段２０２は、２つの直線１４０ａ，１４０ｂにより矩形画像を分割して、３つの読取対象１００Ａ，１００Ｂ，１００Ｃを切り出す。
【００６８】
次に、後処理手段２０３は、分割手段２０２により切り出された読取対象１００の後処理として、スキューの程度を示すスキュー座標を求め、これを補正する補正処理を行う（Ｓ７）。
【００６９】
出力手段２０４は、後処理手段２０３により後処理が施された読取対象１００を端末装置３に出力するとともに、サーバ装置等の外部装置７に出力する（Ｓ８）。また、出力手段２０４は、後処理が施された読取対象１００を画像格納部２１１に格納する。
【００７０】
図４（ａ）〜（ｃ）に示すように、一部が重なった２つの読取対象１００Ａ，１００Ｂについては、図６（ａ）〜（ｃ）に示すように、切り出すことができる。図４（ｄ）に示すように、大部分が重なった２つの読取対象１００Ａ，１００Ｂについては、切り出すことはできず、切り出す対象から除外される。
【００７１】
以上、本発明の実施の形態を説明したが、本発明の実施の形態は上記実施の形態に限定されるものではなく、本発明の要旨を変更しない範囲内で種々の変形、実施が可能である。
【００７２】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００７３】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができ、クラウドサーバ等の外部サーバに格納しておき、ネットワークを介して利用することもできる。
【符号の説明】
【００７４】
１…画像処理システム、２…画像処理装置、３…端末装置、４…操作者、５…名刺、
６…ネットワーク、７…外部装置、１０…読取画像、２０…制御部、２１…記憶部、
２２…操作表示部、２３…画像読取部、２４…無線通信部、
２５…ネットワーク通信部、１００，１００Ａ〜１００Ｃ…読取対象、
１０１ａ〜１０４ｌ…頂点、１０６ａ，１０６ｃ，１０６ｅ，１０６ｇ…短辺、
１０６ｂ，１０６ｄ，１０６ｆ，１０６ｈ…長辺、１１０…処理対象、
１２０…矩形画像、１２０Ａ，１２０Ｂ…部分領域、
１４０，１４０ａ，１４０ｂ…直線、１５０…輪郭、２００…受付手段、
２０１…矩形画像切出手段、２０２…分割手段、２０３…後処理手段、
２０４…出力手段、２１０…プログラム格納部、２１１…画像格納部、
２３０…原稿台
【図１】
2018152629.tif 000003
【図２】
2018152629.tif 000004
【図３】
2018152629.tif 000005
【図４】
2018152629.tif 000006
【図５】
2018152629.tif 000007
【図６】
2018152629.tif 000008
【図７】
2018152629.tif 000009
【図８】
2018152629.tif 000010
【図９】
2018152629.tif 000011